(57)【要約】【課題】正面方向への輝度の低下を抑えつつ耐擦傷性に優れ光学欠陥が見え難いプリズムシート及びこれを用いたバックライトを提供する。【解決手段】本発明のプリズムシート１は、一つの断面台形状の構造列ａと、二つの断面三角形状の構造列ｂとが順に並列されてなる、ユニットＵの繰り返しにより構成されてなるレンズ層２を有してなるものである。好ましくは、前記レンズ層の断面台形状の構造列の高さが、断面三角形状の構造列の高さより高く、その差が１μｍ以上である。【選択図】図１
2010237397.tif 000002
【特許請求の範囲】
【請求項１】
一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるレンズ層を有してなることを特徴とするプリズムシート。
【請求項２】
前記レンズ層の前記断面台形状の構造列の高さが、前記断面三角形状の構造列の高さより高いことを特徴とする請求項１記載のプリズムシート。
【請求項３】
前記断面台形状の構造列の高さと前記断面三角形状の構造列の高さとの差が、１μｍ以上であることを特徴とする請求項２記載のプリズムシート。
【請求項４】
前記断面台形状の構造列の上底部の幅が、１〜５μｍであることを特徴とする請求項１〜３何れか１項記載のプリズムシート。
【請求項５】
少なくとも光源と、前記光源に隣接して配置され、導光又は拡散のための光学板と、前記光学板の光出射側に配置されたプリズムシートとを備えたバックライトにおいて、前記プリズムシートが請求項１〜４何れか１項記載のプリズムシートであることを特徴とするバックライト。
【発明の詳細な説明】
【技術分野】
【０００１】
本発明は、例えば液晶表示装置のバックライトに用いられるプリズムシートに関し、正面方向への輝度の低下を抑えつつ耐擦傷性に優れ、光学欠陥を視認し難くさせるプリズムシート及びこれを用いたバックライトに関するものである。
【背景技術】
【０００２】
近年、カラー液晶表示装置が、ノート型パソコンもしくはデスクトップ型パソコンなどのモニターまたは液晶テレビなどの様々な分野で用いられている。この種の液晶表示装置は、液晶セルとバックライトとを備えており、当該バックライトの構造としては、光源を拡散板を介して液晶セルの直下に設けた直下型の構造、あるいは光源を導光板の側面に設けたエッジライト方式の構造などが知られている。
【０００３】
カラー液晶表示装置は、ＰＤＰ、ＣＲＴに比べて、消費電力が小さいという点において優れている。しかしながら、カラー液晶表示装置では、正面輝度が低くなりがちであった。そこで、上述のバックライトを用いて光学的な効率を高めることにより、小さな消費電力で正面輝度を高くすることが求められている。
【０００４】
このようなバックライトとしては、一般的に、光源、拡散板や導光板、複数枚の光学シート等により構成される。
【０００５】
前記光学シートとしては、反射偏光シート、プリズムシート及び拡散シート等が挙げられ、このうちプリズムシートは、拡散板や導光板の光出射面上に配置され、拡散板や導光板から出射された光を屈折作用により正面に集光させ、正面輝度を向上させる機能を果たす。
【０００６】
一般に、プリズムシートは、断面が三角形状の構造列が複数規則的に配列されたレンズ部を備えており、当該断面三角形状の構造列の頂角、即ち、構造列の斜辺同士で形成される角度を９０°としたものが、正面輝度を高める上で最適であると考えられている。なお、レンズ単位の頂部の曲率半径は０であること、すなわち先端は先鋭な形状とされていることが望ましいと考えられている。
【０００７】
このようなプリズムシートは、構造列の先端が先鋭な形状であるため、取扱時の傷付き、使用時の振動による構造列の先端部の傷付き等が発生し易く、傷付きが発生すると光学欠陥が発生してしまうため、当該プリズムシートの取扱いには多大な注意を要するものであった。
【０００８】
そこで、傷付きによる光学欠陥が発生しないよう耐擦傷性を向上させるため、当該構造列の頂部を先鋭な形状ではなく円弧形状とすることにより耐擦傷性を向上させる方法が提案されている（特許文献１、２）。
【先行技術文献】
【特許文献】
【０００９】
【特許文献１】特開平１１−３０５０１１号公報（特許請求の範囲）
【特許文献２】特開２００１−３４３５０７号公報（特許請求の範囲）
【発明の概要】
【発明が解決しようとする課題】
【００１０】
しかしながら、当該手法であると、確かに従来のプリズムシートに比べ耐擦傷性が向上し光学欠陥が見え難いものとなるが、一方で正面輝度が大幅に低下してしまい、プリズムシートとしての本来の機能が大きく損なわれるものとなってしまう。
【００１１】
そこで、本発明は、正面方向への輝度の低下を抑えつつ耐擦傷性に優れ光学欠陥が見え難いプリズムシートとすることを目的とするものである。
【課題を解決するための手段】
【００１２】
本発明者は、正面輝度の向上のために最適な形状を適宜取り入れつつ、耐擦傷性に優れる形状を取り入れた特殊なユニット単位を規則的に配列したレンズ層を備えたプリズムシートとすることで、従来ではなしえなかった正面方向への輝度の低下を抑えつつ耐擦傷性に優れ光学欠陥が見え難いプリズムシートとすることができることを見出し、本発明に至ったものである。
【００１３】
即ち、本発明のプリズムシートは、一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるレンズ層を有してなることを特徴とするものである。
【００１４】
また、本発明のプリズムシートは、好ましくはレンズ層の断面台形状の構造列の高さが、断面三角形状の構造列の高さより高いことを特徴とするものである。
【００１５】
また、本発明のプリズムシートは、好ましくは断面台形状の構造列の高さと断面三角形状の構造列の高さとの差が、１μｍ以上であることを特徴とするものである。
【００１６】
また、本発明のプリズムシートは、好ましくは断面台形状の構造列の上底部の幅が、１〜５μｍであることを特徴とするものである。
【００１７】
また、本発明のバックライトは、少なくとも光源と、前記光源に隣接して配置され、導光又は拡散のための光学板と、前記光学板の光出射側に配置されたプリズムシートとを備えたものにおいて、前記プリズムシートが本発明のプリズムシートであることを特徴とするものである。
【発明の効果】
【００１８】
本発明のプリズムシートは、一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるレンズ層を有してなるため、従来ではなしえなかった正面方向への輝度の低下を抑えつつ耐擦傷性に優れ光学欠陥が見え難いものとなる。
【００１９】
また、本発明のバックライトは、このような本発明のプリズムシートを備えたものであるため、正面輝度の低下を抑えつつ光学欠陥が見え難いため、取扱い性に優れたものとなる。
【図面の簡単な説明】
【００２０】
【図１】本発明のプリズムシートの一実施形態を示す断面図
【図２】本発明のプリズムシートの一実施形態を示す断面拡大図
【図３】本発明のバックライトの一実施形態を示す斜視図
【発明を実施するための形態】
【００２１】
本発明のプリズムシートは、一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるレンズ層を有してなるものである。また、本発明のバックライトは、本発明のプリズムシートが用いられたものである。以下、本発明のプリズムシートの実施の形態について説明する。
【００２２】
本発明のプリズムシートについて、一つの実施形態を示す断面図を図１に示す。図１に示す本発明のプリズムシート１は、一つの断面台形状の構造列ａと、二つの断面三角形状の構造列ｂとが順に並列されてなる、ユニットＵの繰り返しにより構成されてなるレンズ層２を有してなるものである。本発明のプリズムシートのユニットを、一つの断面台形状の構造列と一つの断面三角形状の構造列とが順に並列されてなるもの、または、二つの断面台形状の構造列と二つの断面三角形状の構造列とが順に並列されてなるものとしても良い。
【００２３】
本発明のプリズムシートは、このようなユニット、即ち、構造列先端への圧力集中が緩和され耐擦傷性に優れる形状である断面台形状の構造列一つと、正面輝度の向上のために最適な形状である断面三角形状の構造列の一つ若しくは二つからなるユニットの繰り返しにより構成されてなるレンズ層を有してなるため、断面台形状の構造列のみからなるプリズムシートや、従来公知の断面三角形状の構造列のみからなるプリズムシートでは到底想到し得ないような、正面輝度が極端に低下することなく耐擦傷性に優れ光学欠陥の見え難いプリズムシートとすることができる。また、断面台形状の構造列二つと、断面三角形状の構造列二つとによりユニットを構成したものにおいても、上述したユニットと同様に、構造列先端への圧力集中が緩和され耐擦傷性に優れる形状である断面台形状の構造列と、正面輝度の向上のために最適な形状である断面三角形状の構造列とが適宜備えられていることから、正面輝度が極端に低下することなく耐擦傷性に優れ光学欠陥の見え難いプリズムシートとすることができる。なお、ここでいう「光学欠陥」とは、直径１０〜１００μｍ程度の傷や異物等が存在することにより生じる輝度低下等の欠陥を指す。
【００２４】
一方、上述した本発明のプリズムシートのユニットにおいて、断面三角形状の構造列を３つ以上順に並列させて構成すると、当該ユニットを備えたレンズ層に対向する部材と断面三角形状の構造列の先端とが接触する確率が増加してしまい、当該先端に傷が付き易くなることで光学欠陥が視認し易いプリズムシートとなるため好ましくない。また、断面台形状の構造列を３つ以上順に並列させて構成すると、レンズ層全体に占める断面三角形状の構造列の割合が減り正面方向への集光性に乏しくなり、正面輝度の低いプリズムシートとなってしまう。これを改善するため、当該ユニット中に断面三角形状の構造列の割合を増やしてしまうと、結果として上述と同様に断面三角形状の構造列の先端に傷が付く確率が増加し、光学欠陥の視認し易いプリズムシートとなってしまう。つまり、断面台形状の構造列を３つ以上順に並列させて構成すると、光学欠陥の視認性及び正面輝度のバランスが取り難いものとなってしまう。
【００２５】
当該プリズムシートは、上述したように一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるレンズ層を有することにより、正面方向への輝度の低下を抑えつつ光学欠陥の見え難いものとなる。特に、より高い正面輝度を得たい場合には、レンズ層を一つの前記断面台形状の構造列と二つの前記断面三角形状の構造列とからなるユニットの繰り返しにより構成することが好ましい。一方、より耐擦傷性を向上させたい場合には、レンズ層を一つの前記断面台形状の構造列と一つの前記断面三角形状の構造列とからなるユニットの繰り返しにより構成することが好ましい。
【００２６】
本発明のプリズムシートの構成としては、レンズ層単層からなるものだけでなく、支持体上に当該レンズ層が積層されたものであってもよい。
【００２７】
支持体としては、ガラス板やプラスチックフィルム等の透明性の高いものを用いることができる。ガラス板としては、例えばケイ酸塩ガラス、リン酸塩ガラス、ホウ酸塩ガラス等の酸化ガラスを板ガラス化したものを使用することができ、特にケイ酸ガラス、ケイ酸アルカリガラス、ソーダ石灰ガラス、カリ石灰ガラス、鉛ガラス、バリウムガラス、ホウケイ酸ガラス等のケイ酸塩ガラスを板ガラス化したものが好ましい。プラスチックフィルムとしては、例えばポリエチレンテレフタレート、ポリブチレンテレフタレート、ポリエチレンナフタレート、ポリカーボネート、ポリエチレン、ポリプロピレン、ポリスチレン、トリアセチルセルロース、アクリル、ポリ塩化ビニル、ノルボルネン化合物等が使用でき、延伸加工、特に二軸延伸されたポリエチレンテレフタレートフィルムが機械的強度、寸法安定性に優れているために好適に使用される。このような支持体はプラズマ処理、コロナ放電処理、遠紫外線照射処理、下引き易接着層の形成等の易接着処理が施されたものを用いることが好ましい。
【００２８】
支持体の厚みとしては特に限定されず、適用される材料に対して適宜選択することができるが、一般に２５〜５００μｍであり、好ましくは５０〜３００μｍである。
【００２９】
本発明のレンズ層は、高分子樹脂により構成されてなる。高分子樹脂としては、電離放射線硬化性樹脂、熱硬化性樹脂、熱可塑性樹脂等が挙げられる。
【００３０】
電離放射線硬化性樹脂としては、電離放射線（紫外線または電子線）の照射によって架橋硬化することができる光重合性プレポリマーを用いることができ、この光重合性プレポリマーとしては、１分子中に２個以上のアクリロイル基を有し、架橋硬化することにより３次元網目構造となるアクリル系プレポリマーが特に好ましく使用される。このアクリル系プレポリマーとしては、ウレタンアクリレート、ポリエステルアクリレート、エポキシアクリレート、メラミンアクリレート、ポリフルオロアルキルアクリレート、シリコーンアクリレート等が使用できる。さらにこれらのアクリル系プレポリマーは単独でも使用可能であるが、架橋硬化性を向上させレンズ層の硬度をより向上させるために、光重合性モノマーを加えることが好ましい。
【００３１】
光重合性モノマーとしては、２−エチルヘキシルアクリレート、２−ヒドロキシエチルアクリレート、２−ヒドロキシプロピルアクリレート、ブトキシエチルアクリレート等の単官能アクリルモノマー、１，６−ヘキサンジオールジアクリレート、ネオペンチルグリコールジアクリレート、ジエチレングリコールジアクリレート、ポリエチレングリコールジアクリレート、ヒドロキシピバリン酸エステルネオペンチルグリコールジアクリレート等の２官能アクリルモノマー、ジペンタエリスリトールヘキサアクリレート、トリメチルプロパントリアクリレート、ペンタエリスリトールトリアクリレート等の多官能アクリルモノマー等の１種若しくは２種以上が使用される。
【００３２】
上述した光重合性プレポリマー及び光重合性モノマーの他、紫外線照射によって硬化させる場合には、光重合開始剤や光重合促進剤等の添加剤を用いることが好ましい。
【００３３】
光重合開始剤としては、アセトフェノン、ベンゾフェノン、ミヒラーケトン、ベンゾイン、ベンジルメチルケタール、ベンゾイルベンゾエート、α−アシルオキシムエステル、チオキサンソン類等が挙げられる。
【００３４】
また、光重合促進剤は、硬化時の空気による重合障害を軽減させ硬化速度を速めることができるものであり、例えば、ｐ−ジメチルアミノ安息香酸イソアミルエステル、ｐ−ジメチルアミノ安息香酸エチルエステル等が挙げられる。
【００３５】
熱硬化性樹脂としては、シリコーン系樹脂、フェノール系樹脂、尿素系樹脂、メラミン系樹脂、フラン系樹脂、不飽和ポリエステル系樹脂、エポキシ系樹脂、ジアリルフタレート系樹脂、グアナミン系樹脂、ケトン系樹脂、アミノアルキッド系樹脂、ウレタン系樹脂、アクリル系樹脂、ポリカーボネート系樹脂等が挙げられる。これらは単独でも使用可能であるが、架橋性、架橋硬化塗膜の硬度をより向上させるためには、硬化剤を加えることが望ましい。
【００３６】
硬化剤としては、ポリイソシアネート、アミノ樹脂、エポキシ樹脂、カルボン酸などの化合物を、適合する樹脂に合わせて適宜使用することができる。
【００３７】
熱可塑性樹脂としては、ＡＢＳ樹脂、ノルボルネン樹脂、シリコーン系樹脂、ナイロン系樹脂、ポリアセタール系樹脂、ポリカーボネート系樹脂、変性ポリフェニレンエーテル樹脂、ポリブチレンテレフタレート、ポリエチレンテレフタレート、スルフォン系樹脂、イミド系樹脂、フッ素系樹脂、スチレン系樹脂、アクリル系樹脂、塩化ビニル系樹脂、酢酸ビニル系樹脂、塩化ビニル−酢酸ビニル共重合体系樹脂、ポリエステル系樹脂、ウレタン系樹脂、ナイロン系樹脂、ゴム系樹脂、ポリビニルエーテル、ポリビニルアルコール、ポリビニルブチラール、ポリビニルピロリドン、ポリエチレングリコール等が挙げられる。
【００３８】
なお、これら熱硬化性樹脂或いは熱可塑性樹脂のうち、レンズ層とした際の塗膜強度や、良好な透明性が得られる観点から、アクリル系樹脂の熱硬化性樹脂或いは熱可塑性樹脂を用いることが好ましい。また、これら熱硬化性樹脂或いは熱可塑性樹脂は、それぞれ熱硬化性樹脂どうし或いは熱可塑性樹脂どうしを複数種組み合わせた複合樹脂として用いることもできる。
【００３９】
高分子樹脂としては、上述した樹脂以外の樹脂を併用することもできるが、上述した高分子樹脂とそれ以外の樹脂との含有割合としては、本発明の構造列を精度良く製造する観点から、後述するようにＰｈｏｔｏ−Ｐｏｌｙｍｅｒ法（２Ｐ法）によりプリズムシートを製造する場合には、電離放射線硬化性樹脂が全高分子樹脂成分中３０〜９０重量％程度含まれることが好ましい。一方、Ｔｈｅｒｍａｌ−Ｔｒａｎｓｆｏｒｍａｔｉｏｎ法（２Ｔ法）やエンボス加工法によりプリズムシートを製造する場合では、熱硬化性樹脂或いは熱可塑性樹脂が全高分子樹脂成分中３０〜９０重量％程度含まれることが好ましい。
【００４０】
なお、レンズ層には、上述した高分子樹脂の他、本発明の効果を阻害しない範囲であれば、微粒子、滑剤、蛍光増白剤、帯電防止剤、難燃剤、抗菌剤、防カビ剤、紫外線吸収剤、光安定剤、酸化防止剤、可塑剤、レベリング剤、流動調整剤、消泡剤、分散剤、離型剤、架橋剤等の種々の添加剤を含ませることもできる。
【００４１】
本発明のレンズ層は、一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるものである。
【００４２】
前記断面台形状の構造列の下底部の面（下底面）と側面との傾斜角（図２のα）は、４０〜５０°の範囲内であることが好ましく、好適には４５°であり、さらには当該構造列の両端の傾斜角がそれぞれ等しいことが好ましい。また、前記断面三角形状の構造列の頂角（図２のβ）は、８０〜１００°の範囲内であることが好ましく、好適には９０°である。前記断面三角形状の構造列の基底部の面（基底面）と側面との傾斜角（図２のγ）においては、４０〜５０°の範囲であることが好ましく、好適には４５°であり、さらには当該構造列の両端の傾斜角がそれぞれ等しいことが好ましい。
【００４３】
前記断面台形状の構造列の上底部の幅は、１〜５μｍであることが好ましく、好適には２〜４μｍである。前記上底部の幅が１μｍ以上であることにより、耐擦傷性に優れ光学欠陥の見え難いものとすることができる。また、前記上底部の幅が５μｍ以下であることにより、高い正面輝度を保持することができる。
【００４４】
また、前記断面台形状の構造列の上底部の幅は、その稜線の流れ方向において変動することが好ましい。前記上底部の幅をその稜線の流れ方向において変動させることにより、さらに正面輝度の低下を防止しつつ耐擦傷性に優れ光学欠陥の見え難いものとすることができる。なお、前記上底部の変動幅は、１〜５μｍの範囲内であることが好ましい。
【００４５】
また、前記断面台形状の構造列の下底部の幅は２２〜６５μｍであることが好ましく、３３〜５５μｍであることがさらに好ましい。下底部の幅が２２μｍ以上であることにより、レンズ層中に断面台形状の構造列が占める割合が増加するため、耐擦傷性に優れ光学欠陥の見え難いものとすることができる。また、下底部の幅が６５μｍ以下であることにより、正面輝度の低下を抑制することができる。
【００４６】
また、前記断面三角形状の構造列の基底部の幅は２０〜５８μｍであることが好ましく、３０〜４８μｍであることがさらに好ましい。基底部の幅が２０μｍ以上であることにより、正面輝度の低下を抑制することができる。また、基底部の幅が５８μｍ以下であることにより、レンズ層中に断面三角形状の構造列が占める割合を抑えることができ、耐擦傷性が低下するのを防止することができる。
【００４７】
前記断面台形状の構造列の高さと前記断面三角形状の構造列の高さとの関係については、耐擦傷性に優れたものとする観点から、前記断面台形状の構造列の高さが前記断面三角形状の構造列の高さよりも高いことが好ましい。特に、前記断面台形状の構造列の高さと前記断面三角形状の構造列の高さとの差が１μｍ以上、好ましくは３μｍ以上、より好ましくは５〜１０μｍの範囲内であることにより、より耐擦傷性に優れ、プリズムシートとしての耐久性にも優れたものとすることができる。
【００４８】
また、前記断面台形状の構造列の高さは、耐擦傷性に優れ光学欠陥の見え難いものとする観点から、１１〜３０μｍとすることが好ましく、１６〜２５μｍとすることがより好ましい。一方、前記断面三角形状の構造列の高さは、上述と同様に耐擦傷性に優れ光学欠陥の見え難いものとする観点から、１０〜２９μｍとすることが好ましく、１５〜２４μｍとすることがより好ましい。なお、前記断面台形状の構造列の高さとは、断面台形状の構造列の下底部から上底部までの長さ（図２のｑ）をいい、前記断面三角形状の構造列の高さとは、断面三角形状の構造物の基底部から先端までの長さ（図２のｏ）をいう。
【００４９】
前記ユニット単位の幅は、耐擦傷性に優れ光学欠陥の見え難いものとする観点から、断面台形状の構造列一つと断面三角形状の構造列一つからなる場合には、４２〜１２３μｍであることが好ましく、６３〜１０３μｍであることがさらに好ましい。また、断面台形状の構造列一つと断面三角形状の構造列二つからなる場合には、正面輝度向上の観点から、６２〜１８１μｍであることが好ましく、９３〜１５１μｍであることがさらに好ましい。また、断面台形状の構造列二つと断面三角形状の構造列二つからなる場合には、正面輝度向上の観点から、８４〜２４６μｍであることが好ましく、１２６〜２０６μｍであることがさらに好ましい。
【００５０】
前記レンズ層のうち、構造列が形成されていない樹脂層の厚み（図２のｐ）は、本発明のプリズムシートをレンズ層単層で形成する場合には、当該層の十分な塗膜強度や平滑性を得る観点から、２５〜３００μｍとすることが好ましい。一方、レンズ層を支持体上に形成してプリズムシートとする場合では、３〜１５μｍとすることが好ましい。
【００５１】
本発明のレンズ層を備えたプリズムシートを製造する方法としては、２Ｐ法、２Ｔ法やエンボス加工法等のような転写賦形技術により形成することができる。例えば、上述したようなレンズ層を構成する高分子樹脂等を、要求するレンズ層の表面形状とは相補的な形状を有する型内に充填し、形状パターンを転写賦形させた後、当該高分子樹脂等を硬化させ、型から剥離することで、構造列が賦形されたレンズ層を備えたプリズムシートが得られる。一方、支持体を用いる場合には、型内に高分子樹脂等を充填し、その上に支持体を重ね合わせた後、当該高分子樹脂等を硬化させ、型から剥離することで、支持体上に構造列が賦形されたレンズ層を備えたプリズムシートが得られる。なお、２Ｐ法によりレンズ層の構造列を形成する場合には、電離放射線硬化性樹脂を用い、２Ｔ法やエンボス加工法によりレンズ層の構造列を形成する場合には、熱硬化性樹脂或いは熱可塑性樹脂を用いる。
【００５２】
上述した転写賦形技術のうちプリズムシートを比較的短時間で作製でき、加熱冷却が不要であるため構成部材の熱による変形を少なく抑えられる観点からは、２Ｐ法を採用することが好ましい。一方、構成部材の材料選択性の自由度が高く、プロセスコストを削減可能な観点からは、２Ｔ法を採用することが好ましい。
【００５３】
なお、高分子樹脂を硬化させる方法としては、高分子樹脂が電離放射線硬化性樹脂の場合には電離放射線を照射することで硬化させることができる。また、高分子樹脂が熱硬化性樹脂の場合には、熱を加えることで硬化させることができる。また、高分子樹脂が熱可塑性樹脂の場合には、冷却することで硬化させることができる。ここで、電離放射線としては、例えば超高圧水銀灯、高圧水銀灯、低圧水銀灯、カーボンアーク、メタルハライドランプなどから発せられる１００〜４００ｎｍ、好ましくは２００〜４００ｎｍの波長領域の紫外線や、走査型・カーテン型の電子線加速器から発せられる１００ｎｍ以下の波長領域の電子線を利用することができる。
【００５４】
本発明のプリズムシートは、このように断面台形状の構造列と、断面三角形状の構造列とが、複数規則的に配列されてなるレンズ層を有してなるものであって、前記レンズ層が、一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるものであるため、従来ではなしえなかった正面輝度の低下を抑えつつ優れた耐擦傷性が発揮され光学欠陥の見え難いものとすることができる。
【００５５】
次いで、本発明のバックライトの実施の形態について説明する。本発明のバックライトの一つの実施形態を示す断面図を図３に示す。図３の本発明のバックライト３０は、エッジライト方式のバックライトで、光源３１と、導光板３２と、その上に置かれた本発明のプリズムシート３３とを備えている。なお、図示するように、必要に応じ、プリズムシート３３に隣接して光拡散シート３４等を備えていても良い。
【００５６】
また、本発明のバックライトとして、図３ではエッジライト方式のバックライトを説明したが、本発明のバックライトは、拡散板の下側に光源を配置し、その上側に下用光拡散シート、プリズムシート、上用拡散シート等が備えられた直下型のバックライトにおいても適用することができる。
【００５７】
このように、本発明のバックライトは、従来ではなしえなかった正面輝度が低下することなく光学欠陥の見え難いプリズムシートを備えたものであるため、取扱い性に優れたものとなる。
【実施例】
【００５８】
以下、実施例により本発明を更に説明する。なお、「部」、「％」は特に示さない限り、重量基準とする。
【００５９】
１．プリズムシートの作製
［実施例１］
滑らかな表面を有する厚み４ｍｍの銅板に対し、ダイヤモンド製の彫刻用バイトを用いて切削し、金型を作製した。作製した金型へ、アクリルモノマー（メタクリル酸メチル：和光純薬社）５０部、多官能性アクリルモノマー（ＮＫエステルA-TMPT-3EO：新中村化学工業社）４５部、光重合開始剤（イルガキュア184：チバ・ジャパン社）５部からなる混合液を滴下し、厚み１００μｍのポリエステルフィルム（コスモシャインA4300：東洋紡績社）をかぶせ、気泡が残らないようにローラーで樹脂を均一に押し広げて樹脂とポリエステルフィルムを密着させた。
【００６０】
この状態のままポリエステルフィルム側からメタルハライドランプにより１５００ｍＪ／ｃｍ2の紫外線を照射し、紫外線硬化型樹脂を硬化させたのちポリエステルフィルム及び樹脂（レンズ層）を金型から剥離し、金型の形状を忠実に転写し、以下の実施例１のプリズムシートを作製した。
【００６１】
＜実施例１のプリズムシート＞
・レンズ層の構成：一つの断面台形状の構造列と二つの断面三角形状の構造列とのユニット単位の繰り返し
・断面台形状の構造列の上底部の幅：３μｍ
・断面台形状の構造列の下底部の幅：５３μｍ
・断面台形状の構造列の高さ：２５μｍ
・断面台形状の構造列の側面と下底面との間の傾斜角：４５°
・断面三角形状の構造列の基底部の幅：４０μｍ
・断面三角形状の構造列の高さ：２０μｍ
・断面三角形状の構造列の頂角：９０°
【００６２】
［実施例２］
実施例１とは異なる切削条件により銅板を切削した以外は実施例１と同様にして、以下の実施例２のプリズムシートを作製した。
【００６３】
＜実施例２のプリズムシート＞
・レンズ層の構成：一つの断面台形状の構造列と一つの断面三角形状の構造列とのユニット単位の繰り返し
・断面台形状の構造列の上底部の幅：３μｍ
・断面台形状の構造列の下底部の幅：４３μｍ
・断面台形状の構造列の高さ：２０μｍ
・断面台形状の構造列の側面と下底面との間の傾斜角：４５°
・断面三角形状の構造列の基底部の幅：３０μｍ
・断面三角形状の構造列の高さ：１５μｍ
・断面三角形状の構造列の頂角：９０°
【００６４】
［実施例３］
実施例１とは異なる切削条件により銅板を切削した以外は実施例１と同様にして、以下の実施例３のプリズムシートを作製した。
【００６５】
＜実施例３のプリズムシート＞
・レンズ層の構成：一つの断面台形状の構造列と二つの断面三角形状の構造列とのユニット単位の繰り返し
・断面台形状の構造列の上底部の幅：４μｍ
・断面台形状の構造列の下底部の幅：５４μｍ
・断面台形状の構造列の高さ：２５μｍ
・断面台形状の構造列の側面と下底面との間の傾斜角：４５°
・断面三角形状の構造列の基底部の幅：４４μｍ
・断面三角形状の構造列の高さ：２２μｍ
・断面三角形状の構造列の頂角：９０°
【００６６】
［実施例４］
実施例１とは異なる切削条件により銅板を切削した以外は実施例１と同様にして、以下の実施例４のプリズムシートを作製した。
【００６７】
＜実施例４のプリズムシート＞
・レンズ層の構成：一つの断面台形状の構造列と二つの断面三角形状の構造列とのユニット単位の繰り返し
・断面台形状の構造列の上底部の幅：２μｍ
・断面台形状の構造列の下底部の幅：５２μｍ
・断面台形状の構造列の高さ：２５μｍ
・断面台形状の構造列の側面と下底面との間の傾斜角：４５°
・断面三角形状の構造列の基底部の幅：４８μｍ
・断面三角形状の構造列の高さ：２４μｍ
・断面三角形状の構造列の頂角：９０°
【００６８】
［実施例５］
実施例１とは異なる切削条件により銅板を切削した以外は実施例１と同様にして、以下の実施例５のプリズムシートを作製した。
【００６９】
＜実施例５のプリズムシート＞
・レンズ層の構成：一つの断面台形状の構造列と二つの断面三角形状の構造列とのユニット単位の繰り返し
・断面台形状の構造列の上底部の幅：２μｍ
・断面台形状の構造列の下底部の幅：２２μｍ
・断面台形状の構造列の高さ：１０μｍ
・断面台形状の構造列の側面と下底面との間の傾斜角：４５°
・断面三角形状の構造列の基底部の幅：１９μｍ
・断面三角形状の構造列の高さ：９．５μｍ
・断面三角形状の構造列の頂角：９０°
【００７０】
［実施例６］
実施例１とは異なる切削条件により銅板を切削した以外は実施例１と同様にして、以下の実施例６のプリズムシートを作製した。
【００７１】
＜実施例６のプリズムシート＞
・レンズ層の構成：一つの断面台形状の構造列と二つの断面三角形状の構造列とのユニット単位の繰り返し
・断面台形状の構造列の上底部の幅：２μｍ
・断面台形状の構造列の下底部の幅：６２μｍ
・断面台形状の構造列の高さ：３０μｍ
・断面台形状の構造列の側面と下底面との間の傾斜角：４５°
・断面三角形状の構造列の基底部の幅：６０μｍ
・断面三角形状の構造列の高さ：３０μｍ
・断面三角形状の構造列の頂角：９０°
【００７２】
［実施例７］
実施例１とは異なる切削条件により銅板を切削した以外は実施例１と同様にして、以下の実施例７のプリズムシートを作製した。
【００７３】
＜実施例７のプリズムシート＞
・レンズ層の構成：一つの断面台形状の構造列と一つの断面三角形状の構造列とのユニット単位の繰り返し
・断面台形状の構造列の上底部の幅：２μｍ
・断面台形状の構造列の下底部の幅：５２μｍ
・断面台形状の構造列の高さ：２５μｍ
・断面台形状の構造列の側面と下底面との間の傾斜角：４５°
・断面三角形状の構造列の基底部の幅：４０μｍ
・断面三角形状の構造列の高さ：２０μｍ
・断面三角形状の構造列の頂角：９０°
【００７４】
［実施例８］
実施例１とは異なる切削条件により銅板を切削した以外は実施例１と同様にして、以下の実施例８のプリズムシートを作製した。
【００７５】
＜実施例８のプリズムシート＞
・レンズ層の構成：一つの断面台形状の構造列と二つの断面三角形状の構造列とのユニット単位の繰り返し
・断面台形状の構造列の上底部の幅：２μｍ
・断面台形状の構造列の下底部の幅：５２μｍ
・断面台形状の構造列の高さ：２５μｍ
・断面台形状の構造列の側面と下底面との間の傾斜角：４５°
・断面三角形状の構造列の基底部の幅：４０μｍ
・断面三角形状の構造列の高さ：２０μｍ
・断面三角形状の構造列の頂角：９０°
【００７６】
［実施例９］
実施例１とは異なる切削条件により銅板を切削した以外は実施例１と同様にして、以下の実施例９のプリズムシートを作製した。
【００７７】
＜実施例９のプリズムシート＞
・レンズ層の構成：二つの断面台形状の構造列と二つの断面三角形状の構造列とのユニット単位の繰り返し
・断面台形状の構造列の上底部の幅：２μｍ
・断面台形状の構造列の下底部の幅：５２μｍ
・断面台形状の構造列の高さ：２５μｍ
・断面台形状の構造列の側面と下底面との間の傾斜角：４５°
・断面三角形状の構造列の基底部の幅：４０μｍ
・断面三角形状の構造列の高さ：２０μｍ
・断面三角形状の構造列の頂角：９０°
【００７８】
［比較例１］
実施例１とは異なる切削条件により銅板を切削した以外は実施例１と同様にして、以下の比較例１のプリズムシートを作製した。
【００７９】
＜比較例１のプリズムシート＞
・レンズ層の構成：断面三角形状の構造列が複数並列されてなる
・断面三角形状の構造列の基底部の幅：４０μｍ
・断面三角形状の構造列の高さ：２０μｍ
・断面三角形状の構造列の頂角：９０°
【００８０】
［比較例２］
実施例１とは異なる切削条件により銅板を切削した以外は実施例１と同様にして、以下の比較例２のプリズムシートを作製した。
【００８１】
＜比較例２のプリズムシート＞
・レンズ層の構成：断面台形状の構造列が複数並列されてなる
・断面台形状の構造列の上底部の幅：５μｍ
・断面台形状の構造列の下底部の幅：４０μｍ
・断面台形状の構造列の高さ：２０μｍ
・断面台形状の構造列の側面と下底面との間の傾斜角：４５°
【００８２】
［比較例３］
実施例１とは異なる切削条件により銅板を切削した以外は実施例１と同様にして、以下の比較例３のプリズムシートを作製した。
【００８３】
＜比較例３のプリズムシート＞
・レンズ層の構成：断面三角形状（先端が円弧形状）の構造列が複数並列されてなる
・断面三角形状の構造列の先端曲部の曲率半径：８μｍ
・断面三角形状の構造列の基底部の幅：５０μｍ
・断面三角形状の構造列の高さ：２２μｍ
・断面三角形状の構造列の頂角：９０°
【００８４】
［比較例４］
実施例１とは異なる切削条件により銅板を切削した以外は実施例１と同様にして、以下の比較例４のプリズムシートを作製した。
【００８５】
＜比較例４のプリズムシート＞
・レンズ層の構成：一つの断面台形状の構造列と三つの断面三角形状の構造列とのユニット単位の繰り返し
・断面台形状の構造列の上底部の幅：５μｍ
・断面台形状の構造列の下底部の幅：５５μｍ
・断面台形状の構造列の高さ：２５μｍ
・断面台形状の構造列の側面と下底面との間の傾斜角：４５°
・断面三角形状の構造列の基底部の幅：５０μｍ
・断面三角形状の構造列の高さ：２５μｍ
・断面三角形状の構造列の頂角：９０°
【００８６】
［比較例５］
実施例１とは異なる切削条件により銅板を切削した以外は実施例１と同様にして、以下の比較例５のプリズムシートを作製した。
【００８７】
＜比較例５のプリズムシート＞
・レンズ層の構成：二つの断面台形状の構造列と一つの断面三角形状の構造列とのユニット単位の繰り返し
・断面台形状の構造列の上底部の幅：５μｍ
・断面台形状の構造列の下底部の幅：４５μｍ
・断面台形状の構造列の高さ：２０μｍ
・断面台形状の構造列の側面と下底面との間の傾斜角：４５°
・断面三角形状の構造列の基底部の幅：３０μｍ
・断面三角形状の構造列の高さ：１５μｍ
・断面三角形状の構造列の頂角：９０°
【００８８】
２．評価
（１）正面輝度
厚み０．７ｍｍの付型導光板上に、厚み１００μｍの拡散フィルム（ライトアップMXE：きもと社）、実施例１〜９及び比較例１〜５で作製したプリズムシート及び厚み１００μｍの拡散フィルム（ライトアップTL2：きもと社）を順次備えてなる７インチのエッジライト型のバックライト（実施例１〜９及び比較例１〜５のバックライト、線状ランプ一本）を作製した。そして、実施例１〜９及び比較例１〜５のバックライトの正面輝度について測定した。評価結果を表１に示す。なお、表１では、比較例１で作製したプリズムシートを備えたバックライトの正面輝度を１００％とし、その他の正面輝度については、比較例１の正面輝度に対する相対値により示す。
【００８９】
（２）傷（光学欠陥）の見え難さ
実施例１〜９及び比較例１〜５で作製したプリズムシートのレンズ層表面に対し、綿棒を用いて２ｇの加重をかけ、レンズ層表面の構造列の流れ方向に平行な方向及び垂直な方向にそれぞれ綿棒を５往復させ、レンズ層表面の傷付き性を目視にて観察した。前記レンズ層表面を正面から観察した際に、目視にて傷をまったく認識することができなかったものを「◎」、目視では傷をほとんど認識することができず、ルーペにて確認できる程度のものであったものを「○」、わずかではあるが目視にて傷を認識することができたものを「△」、目視にて傷を認識することができたものを「×」、傷の付着が多く明らかに使用に堪えないものを「××」とした。評価結果を表１に示す。
【００９０】
【表１】
2010237397.tif 000003
【００９１】
３．考察
表１に示すように、実施例１〜９のプリズムシートは、一つの断面台形状の構造列と一つの断面三角形状の構造列とが順に並列されてなるユニット、一つの断面台形状の構造列と二つの断面三角形状の構造列とが順に並列されてなるユニット、または、二つの断面台形状の構造列と二つの断面三角形状の構造列とが順に並列されてなるユニットの何れかの繰り返しにより構成されてなるレンズ層を有してなるものであることから、耐擦傷性に優れ傷（光学欠陥）が見え難いものとなり、当該プリズムシートを組み込んだ実施例１〜９のバックライトは、正面輝度の低下を防止しつつ、取扱い性に優れたものであった。
【００９２】
特に、実施例１、２及び７〜９のプリズムシートは、レンズ層の断面台形状の構造列の高さが断面三角形状の構造列の高さより高く、その高低差が５μｍであり、かつ断面台形状の構造列の上底部の幅が２〜３μｍであったことから、耐擦傷性に優れ特に傷が見え難いものとなり、当該プリズムシートを組み込んだ実施例１、２及び７〜９のバックライトは正面輝度と傷の見え難さとのバランスに特に優れたものとなった。
【００９３】
また、ここで、実施例７〜９のプリズムシートを比較すると、いずれのものもレンズ層中の断面台形状及び断面三角形状の構造列は同じ形状であるものの、実施例８のプリズムシートのレンズ層は、一つの断面台形状の構造列と二つの断面三角形状の構造列とが順に並列されてなるユニット単位の繰り返しにより構成されてなることから、実施例７及び９のプリズムシートに比べ、正面輝度の高いものとなった。また、実施例７のプリズムシートのレンズ層は、一つの断面台形状の構造列と一つの断面三角形状の構造列とが順に並列されてなるユニット単位の繰り返しにより構成されてなることから、実施例８及び９のプリズムシートに比べ、表１の評価の上では同等ではあるが、実際には傷がより見え難いものであった。
【００９４】
一方、比較例１のプリズムシートは、従来のプリズムシートの形状である断面三角形状の構造列が並列してなるものであったため、耐擦傷性に乏しく傷が見え易いものとなり、当該プリズムシートを組み込んだ比較例１のバックライトは、正面輝度は高いものの使用に堪えないものとなった。
【００９５】
また、比較例２のプリズムシートは、断面台形状の構造列が並列してなるものであったため、耐擦傷性に優れ傷が見え難いものとなったが、当該プリズムシートの表面凹凸形状では光の集光性に乏しく、当該プリズムシートを組み込んだ比較例２のバックライトは、正面輝度に乏しいものとなった。
【００９６】
また、比較例３のプリズムシートは、断面三角形状様のものでその先端が円弧形状の構造列が並列してなるものであったため、耐擦傷性に若干乏しく傷が見え易いものとなり、さらに当該プリズムシートの表面凹凸形状により光の集光性にも乏しいものとなったため、当該プリズムシートを組み込んだ比較例３のバックライトは、正面輝度及び耐擦傷性の両方に乏しいものとなった。
【００９７】
また、比較例４のプリズムシートは、一つの断面台形状の構造列と三つの断面三角形状の構造列とが順に並列されてなるユニット単位の繰り返しにより構成されてなるレンズ層を有してなるものであることから、正面輝度に優れたものとなったものの、耐擦傷性に乏しく傷が見え易いものとなり、当該プリズムシートを組み込んだ比較例４のバックライトは、正面輝度は高いものの傷が見え易いため、取扱い性に乏しいものとなった。
【００９８】
また、比較例５のプリズムシートは、二つの断面台形状の構造列と一つの断面三角形状の構造列とが順に並列されてなるユニット単位の繰り返しにより構成されてなるレンズ層を有してなるものであることから、耐擦傷性に優れ傷が見え難いものとなったが、当該プリズムシートの表面凹凸形状では光の集光性に乏しく、当該プリズムシートを組み込んだ比較例２のバックライトは、正面輝度に乏しいものとなった。
【符号の説明】
【００９９】
１・・・・本発明のプリズムシート
２・・・・レンズ層
ａ・・・・断面台形状の構造列
ｂ・・・・断面三角形状の構造列
Ｕ・・・・ユニット単位
３０・・・本発明のバックライト
３１・・・光源
３２・・・導光板
３３・・・本発明のプリズムシート
３４・・・光拡散シート
【図１】
2010237397.tif 000004
【図２】
2010237397.tif 000005
【図３】
2010237397.tif 000006